(57)【要約】【課題】液晶表示装置について、照明開始時のバックライトの適切な制御の提供【解決手段】この液晶表示装置１００は、液晶表示部１０と、液晶表示部１０の背面を照明するバックライト２０とを備えている。この液晶表示装置１００は、温度センサ２４０を有している。この液晶表示装置１００は、常態制御部２０１と、第１制御部２１１と、第２制御部２１２とを備えている。常態制御部２０１は、バックライト２０の輝度を予め設定された設定条件に基づいて制御する。第１制御部２１１は、バックライト２０による照明開始時に、バックライト２０の輝度を、常態制御部２０１による制御によって設定される輝度よりも高くする。さらに、第２制御部２１２は、バックライト２０による照明開始時に温度センサ２４０によって取得される温度情報ＴＡに応じて定められる経過時間ＴＬにて第１制御部２１１による制御を解除する。【選択図】図１
2010086865.tif 000002
【特許請求の範囲】
【請求項１】
液晶表示部と、
前記液晶表示部の背面を照明するバックライトと、
を備えた液晶表示装置であって、
温度センサを有し、
前記バックライトの輝度を予め設定された設定条件に基づいて制御する常態制御部と、
前記バックライトによる照明開始時に、前記バックライトの輝度を、前記常態制御部による制御によって設定される輝度よりも高くする第１制御部と、
前記照明開始時に前記温度センサによって取得される温度情報に応じて定められる経過時間にて前記第１制御部による制御を解除する第２制御部と、
を備えた、
液晶表示装置。
【請求項２】
前記第１制御部では、前記照明開始時に前記バックライトの輝度が最大輝度に制御される、請求項１に記載の液晶表示装置。
【請求項３】
前記第２制御部では、前記照明開始時に前記温度センサによって取得された温度情報が低いほど、前記第１制御を解除するまでの経過時間が長く設定されている、請求項１または２に記載の液晶表示装置。
【請求項４】
前記照明開始時に、前記温度センサによって取得された温度情報が、予め定められた温度よりも高い場合には、前記第１制御部による制御が実行されず、前記常態制御部による制御が実行される、請求項１から３までの何れか一項に記載の液晶表示装置。
【請求項５】
前記温度センサは、前記液晶表示装置の内部に配置されている、請求項１から４までの何れか一項に記載の液晶表示装置。
【請求項６】
前記温度センサは、バックライトシャーシに配置されている、請求項１から５までの何れか一項に記載の液晶表示装置。
【請求項７】
赤外線による制御信号を受信する赤外線受信部と、
前記赤外線受信部で受信した制御信号に基づいて、前記液晶表示部の表示内容を制御する遠隔制御部と、
を備えた、請求項１から６までの何れか一項に記載の液晶表示装置。
【発明の詳細な説明】
【技術分野】
【０００１】
本発明は、液晶表示装置に関する。特に、バックライトの輝度の制御に関する。
【背景技術】
【０００２】
液晶表示装置は、液晶層を含む液晶表示部の背面側にバックライトが配置されている。バックライトで照射された光は、液晶表示部の背面に照射される。液晶表示部は、液晶層を挟む２つの基板間に印加される電圧を操作することによって、光を遮断する態様と光を通過させる態様とに液晶層が操作され、カラーフィルタを通して所望の色の光が表示される。
【０００３】
ところで、かかる液晶表示装置は、低温環境では、照明開始時に、バックライトの輝度の制御が安定しないことが知られている。かかる事象については、例えば、特開２００７−２７２０４３号公報（特許文献１）に開示されている。同公報には、概ね、始動から一定の時間が経過するまでの一定期間においてバックライトの出力を高くし、さらにかかる一定期間において、バックライトの輝度が過剰に高くなる分に連動させて、液晶表示部の透過率を下げることが開示されている。
【０００４】
また、特開２００７−２５１２１号（特許文献２）には、バックライトとしての蛍光管が用いられている場合において、低温環境では、照明開始時に、蛍光管から近赤外線が放出されることも開示されている。液晶表示装置の遠隔操作装置に赤外線信号が利用されている場合には、かかる蛍光管から放出される近赤外線が干渉し、遠隔操作に支障が生じる事象なども開示されている。同公報においては、照明の開始後に、輝度を高くして、蛍光管の温度上昇を早くし、近赤外線を早期に減衰させることが考えられている。そして、近赤外線の強度を検出し、近赤外線の強度が一定の検出強度まで低下したら、一時的に高くしているバックライトの輝度を、通常の制御にすることが開示されている。
【特許文献１】特開２００７−２７２０４３号公報
【特許文献２】特開２００７−２５１２１号公報
【発明の開示】
【発明が解決しようとする課題】
【０００５】
ところで、液晶表示装置は、低温環境では、照明開始時に、バックライトの輝度の制御が安定しない場合がある。このため、上述した先行技術のように、照明開始後に、一時的に輝度を高くし、バックライトの温度を急速に上昇させて、早期にバックライトの照明を安定させることが考えられている。しかし、バックライトの照明が安定した後も、バックライトの輝度を高くする制御が必要以上に長く続くと、ユーザが所望する輝度の画像を上手く表現できないなどの事象が生じる。また、バックライトの輝度を高くする期間を短くし過ぎると、バックライトの温度が十分に高くならず、バックライトの明るさを早期に安定させることができない。
【０００６】
かかる制御を解除する適切なタイミングは、液晶表示装置の具体的構成、例えば、バックライトの種類や構造の違いなどによって当然に変動する。これを簡単に設定する方法は、未だ確立されていない。
【０００７】
例えば、上述した特許文献１では、始動から一定の時間が経過するまでの一定期間においてバックライトの出力を高くし、さらにかかる一定期間において、バックライトの輝度が過剰に高くなる分に連動させて、液晶表示部の透過率を下げることが開示されている。かかる一定期間は、２００秒以上であるとか、９００秒以下であるなどの提案がされるのみである。また、特許文献２では、蛍光管から生じる近赤外線の強度を検出し、一時的に高くしているバックライトの輝度を、通常の制御にすることが提案されている。しかし、液晶表示装置の具体的構成によっては、バックライトから発せられる近赤外線の強度を上手く検出できない場合もあり、採用できない場合もある。
【０００８】
照明開始後からバックライトの強度を高くする制御の解除について、液晶表示装置の具体的構成に対応した適切な制御を簡単な構成で実現することが望ましい。本発明では、液晶表示装置における照明開始時のバックライトの制御について、新規な構成を提案するものである。
【課題を解決するための手段】
【０００９】
本発明にかかる液晶表示装置について、液晶表示部と、液晶表示部の背面を照明するバックライトとを備えている。この液晶表示装置は、温度センサを有し、さらにバックライトの輝度を予め設定された設定条件に基づいて制御する常態制御部と、バックライトによる照明開始時に、バックライトの輝度を、常態制御部による制御によって設定される輝度よりも高くする第１制御部とを備えている。さらに、この液晶表示装置は、バックライトによる照明開始時に温度センサによって取得される温度情報に応じて定められる経過時間にて第１制御部による制御を解除する第２制御部を備えている。
【００１０】
この場合、照明開始時に温度センサによって取得される温度情報に応じて定められる経過時間にて、照明開始時にバックライトの輝度を一時的に高くする第１制御が解除される。当該経過時間は、温度センサから取得される温度情報に基づいて定めるとよい。この手法によれば、簡単な制御手法によって適切に上記第１制御の解除することができる。
【００１１】
また、この場合、第１制御部では、照明開始時にバックライトの輝度が最大輝度に制御されてもよい。また、第２制御部では、照明開始時に温度センサによって取得された温度情報が低いほど、第１制御を解除するまでの経過時間が長く設定されていてもよい。また、照明開始時に温度センサによって取得された温度情報が、予め定められた温度よりも高い場合には、第１制御部による制御が実行されず、常態制御部による制御が実行されてもよい。
【００１２】
温度センサは、液晶表示装置の内部に配置されていてもよい。また、温度センサは、バックライトシャーシに配置されていてもよい。
【００１３】
また、液晶表示装置は、赤外線による制御信号を受信する赤外線受信部と、赤外線受信部で受信した制御信号に基づいて、液晶表示部の表示内容を制御する遠隔制御部とを備えていてもよい。
【発明を実施するための最良の形態】
【００１４】
以下、本発明の一実施形態に係る液晶表示装置およびその製造方法を図面に基づいて説明する。
【００１５】
図１は、本発明の一実施形態に係る液晶表示装置１００の断面構成を模式的に示している。液晶表示装置１００は、図１に示すように、液晶パネル１０と、バックライト２０とを備えている。ここでは、先ず、液晶表示装置１００の構造を概略的に説明し、その後、この液晶表示装置１００における照明開始時のバックライト２０の制御を説明する。
【００１６】
この液晶表示装置１００の液晶パネル１０は、概して、全体として矩形の形状を有しており、一対の透光性基板１１および１２（ガラス基板）から構成されている。この実施形態では、両基板１１および１２のうち、表側はカラーフィルタ基板１１（ＣＦ基板）であり、裏側がアレイ基板１２（ＴＦＴ基板）である。
【００１７】
この実施形態では、図１に示すように、カラーフィルタ基板１１とアレイ基板１２は、それぞれ画素領域１０ａ（画素が形成されている領域）を有している。カラーフィルタ基板１１およびアレイ基板１２は、互いに対向して配置されている。カラーフィルタ基板１１とアレイ基板１２の間には、画素領域１０ａの周囲（外周縁部）を周方向に囲むように、シール材１５が設けられている。
【００１８】
カラーフィルタ基板１１とアレイ基板１２の間には液晶層１３が設けられている。液晶層１３は、液晶分子を含む液晶材料が封入されている。かかる液晶材料は、カラーフィルタ基板１１およびアレイ基板１２の間の電界印加に伴って液晶分子の配向方向が操作され、光学特性が変化する。シール材１５はかかる液晶層１３の液晶材料を封止している。
【００１９】
以下、アレイ基板１２と、カラーフィルタ基板１１を順に説明する。図２から図４は液晶パネル１０の画素領域１０ａを図示したものである。このうち図２はカラーフィルタ基板１１とアレイ基板１２を貼り合せた状態の断面図を示している。また、図３はアレイ基板１２の画素領域部分の平面図を示し、図４はカラーフィルタ基板１１の画素領域部分の平面図を示している。図３および図４中の破線Ａで囲まれた領域は、この液晶表示装置１００の一画素を構成する領域を示している。
【００２０】
この実施形態では、アレイ基板１２は、図２および図３に示すように、ガラス基板４１の表側（液晶層１３側）に、画素電極４２、バスライン４３ａ〜４３ｃ（bus line）、平坦化層４４及び配向膜４６（水平配向膜）、薄膜トランジスタ４７が形成されている。画素電極４２は透明導電材料であるＩＴＯ（indium tin oxide：酸化インジウムスズ）からなり、これらの画素電極４２には画像に応じた電圧がバスライン４３ａ〜４３ｃ及び薄膜トランジスタ４７（図３参照）を介して所定のタイミングで供給される。平坦化層４４は絶縁材料に形成されており、画素電極４２及びバスライン４３ａ〜４３ｃ（図３参照）を覆っている。平坦化層４４の上にはポリイミド等からなる配向膜４６が形成されている。この配向膜４６の表面には、電圧を印加していないときの液晶分子の配向方向を決定するために、配向処理が施されている。
【００２１】
また、カラーフィルタ基板１１は、図２および図４に示すように、ガラス基板５１の裏側（液晶層１３側）にブラックマトリクス５２、カラーフィルタ５３、平坦化層５４、対向電極５５及び配向膜５６（水平配向膜）が形成されている。ブラックマトリクス５２は画素間の領域を光が透過しないようにするため、Ｃｒ（クロム）等の金属により形成されている。カラーフィルタ５３には赤（Ｒ）、緑（Ｇ）、青（Ｂ）の３色があり、図２から図４に示すように、アレイ基板１２の１つの画素電極４２にＲ・Ｇ・Ｂいずれか１つのカラーフィルタ５３が対向している。平坦化層５４は、図４に示すように、ブラックマトリクス５２及びカラーフィルタ５３を覆うように形成されており、この平坦化層５４の下側にはＩＴＯ（indium tin oxide）からなる対向電極５５が形成されている。また、対向電極５５の下側には配向膜５６が形成されている。この配向膜５６の表面にも配向処理が施されている。なお、アレイ基板１２の配向膜４６の配向方向と、カラーフィルタ基板１１の配向膜５６の配向方向とは９０°異なっている。
【００２２】
ガラス基板４１，５１は、図２に示すように、球形又は円柱形のスペーサ５９（図示例では、球形）を挟んで配置されている。スペーサ５９は、例えば、プラスチックやガラスなどにより形成されている。ガラス基板４１，５１のギャップは、上述したシール材１５（図１参照）およびスペーサ５９によって保持され、液晶層１３が一定に維持されている。
【００２３】
更に、図１および図２に示すように、カラーフィルタ基板１１（ガラス基板４１）の表面側及びガラス基板５１の裏面側にはそれぞれ偏光板１７、１８が貼り付けられている。いわゆるノーマリホワイト型の液晶表示装置では２枚の偏光板１７、１８の偏光軸は互いに直交するように配置される。また、いわゆるノーマリブラック型の液晶表示装置では２枚の偏光板１７、１８の偏光軸は並行に配置される。この実施形態では、図１に示すように、液晶パネル１０の表側は、ベゼル３０（表側のフレーム）が装着されている。液晶パネル１０の裏側には、フレーム３２が装着されている。そして、ベゼル３０とフレーム３２は、液晶パネル１０を支持する。さらに、ベゼル３０は、液晶パネル１０の画素領域１０ａに相当する部分が開口している。かかる液晶パネル１０の裏側には、バックライトシャーシ２４に支持されたバックライト２０が装着されている。
【００２４】
バックライト２０は、図１に示すように、液晶パネル１０の裏側（図１中の下側）に配置された光源である。この実施形態では、バックライト２０は、複数本の光源２２と、光源２２を収納するバックライトシャーシ２４とを備えている。光源２２は、例えば、冷陰極管、熱陰極管などの蛍光管で構成されている。この実施形態では、バックライトシャーシ２４は、表側（液晶パネル１０側）に向けて開口した箱形形状を有しており、バックライトシャーシ２４内には、棒状の光源２２が、複数本、平行に配列されている。バックライトシャーシ２４の開口には、複数枚の光学シート２６が積層されて配置されている。
【００２５】
光学シート２６は、例えば、裏側から順に、拡散板、拡散シート、レンズシート、および輝度上昇シートを有している。バックライトシャーシ２４は、上述した液晶パネル１０にバックライト２０を向けた状態で、フレーム３２の裏側に装着されている。この際、光学シート２６は、液晶パネル１０のフレーム３２の裏面とバックライトシャーシ２４の表面とに挟まれる。また、液晶表示装置１００は、図１に示すように、バックライト２０の輝度（明るさ）を調整する制御部２００（例えば、冷陰極管インバータ回路などの調光回路）を備えている。かかる制御部２００は、例えば、バックライト２０に投入する電力を調整して、バックライト２０の明るさを調整する。この場合、制御部２００は、バックライト２０に投入する電力を高くすることによってバックライト２０を明るく（輝度を高く）でき、バックライト２０に投入する電力を低くすることによってバックライト２０を暗く（輝度を低く）できる。
【００２６】
この液晶表示装置１００は、液晶パネル１０に、カラーフィルタ基板１１とアレイ基板１２に制御された電圧を印加して液晶層１３中の液晶分子を操作する。そして、かかる液晶パネル１０は、画素毎（より詳しくは、RGBで規定されるサブ画素毎）に、液晶層１３中の液晶分子が操作されることによって、バックライト２０の光を遮断または通過させ、さらに光の透過率が変えられる。さらに、液晶表示装置１００は、バックライト２０の輝度等も制御しつつ所望の画像を表示させる。
【００２７】
また、この液晶表示装置１００は、図１に示すように、赤外線受信部３００と遠隔制御部３０１を備えている。赤外線受信部３００は、リモートコントローラー（図示省略）から発せられる赤外線信号を受信する。また、遠隔制御部３０１は、赤外線受信部３００で受信した制御信号に基づいて、液晶表示部１０の表示内容を制御する。
【００２８】
以下、バックライト２０の照明開始時の制御を説明する。
【００２９】
この実施形態では、バックライト２０として、冷陰極管などの蛍光管が用いられている。かかる冷陰極管などの蛍光管は投入される電力が同じでも、照明開始時の温度によって輝度（明るさ）が変わる。特に低温環境で使用される場合には、照明開始時の温度が低いためバックライト２０の輝度（明るさ）が暗くなる傾向があり、輝度の調整（調光制御）が上手くできない。その後、バックライト２０が照明を開始した後、自らの発熱によってある程度の温度に温まると、安定して輝度を調整することができるようになる。
【００３０】
この液晶表示装置１００は、図１に示すように、バックライト２０の輝度を制御する制御部２００と、温度センサ２４０とを備えている。制御部２００は、常態制御部２０１と、第１制御部２１１と、第２制御部２１２とを備えている。図１は、かかる制御部２００、温度センサ２４０を模式的に描いている。以下、液晶表示装置１００の構造に関しては、適宜、図１を参照されたい。
【００３１】
かかる制御部２００は、電子的な処理装置であり、ＭＰＵやＣＰＵなどで構成された演算機能を有する演算手段と、不揮発性メモリーなどで構成された記憶手段とを備えている。かかる制御部２００は、予め記憶されたプログラムによって所要の機能を実現するように構成されている。常態制御部２０１、第１制御部２１１、第２制御部２１２などの制御部２００の各種制御は、プログラムによって具現化されており、それぞれ液晶表示装置１００の各構成要素に所定の機能を実現させる。なお、説明は省略するが、この実施形態では、制御部２００は、実際には、バックライト２０の輝度以外の制御も担うように構成されている。
【００３２】
温度センサ２４０は、この実施形態では、液晶表示装置１００の内部に配置されている。かかる温度センサ２４０としては、例えば、サーミスタを用いることができる。この実施形態では、温度センサ２４０は、バックライト２０のバックライトシャーシ２４に配置されている。図５は、このバックライトシャーシ２４の内側に配設された基板構成例を示す平面図である。
【００３３】
この実施形態では、図５に示すように、バックライト２０のバックライトシャーシ２４の内側には、端子基板２４１、電源基板２４２、ＡＣインレット基板２４３、液晶コントローラ基板２４４、メイン基板２４５、複数のインバータ基板２４６が配置されている。この実施形態では、温度センサ２４０は、かかる端子基板２４１に配置されている。なお、かかる基板レイアウトは一例を示すものであり、温度センサ２４０が配置される部位についても、かかる図示例に限定されない。なお、端子基板２４１、電源基板２４２、ＡＣインレット基板２４３、液晶コントローラ基板２４４、メイン基板２４５、複数のインバータ基板２４６は、それぞれ電子部品等を組み合わせて電気的および物理的な作用によって所要の機能を奏するように構成された基板である。ここで、端子基板２４１は外部との映像や音声の入出力を行なう機能を有する。また、電源基板２４２は、各基板へ電源を生成または供給する機能を有する。また、ＡＣインレット基板２４３は、ノイズフィルタの機能を有する。また、液晶コントローラ基板は、液晶パネルを駆動する機能を有する。また、液晶コントローラ基板２４４は、液晶パネルを駆動する機能を有する。また、メイン基板２４５は、液晶表示装置１００全体の動作を制御する機能を有する。例えば、この液晶表示装置１００がテレビを視聴する装置として用いられる場合には、メイン基板２４５は、テレビとして機能する液晶表示装置１００全体の動作を制御する。また、インバータ基板２４６は、それぞれバックライト２０（光源２２）を駆動させる機能を有する。
【００３４】
常態制御部２０１は、バックライト２０の輝度を予め設定された条件に基づいて制御する制御部である。すなわち、常態制御部２０１は、バックライト２０の輝度を調整する基本的な制御を実行する。ここで「予め設定された条件」とは、予め設定される種々の条件が含まれる。例えば、液晶表示装置１００が、ユーザの嗜好に応じて輝度（明るさ）を設定できる機能を有するような場合には、そのようなユーザによる設定が含まれる。また、常態制御部２０１の制御には、液晶表示装置１００が使用環境の明るさを検知する検知手段を備えており、かかる外部要因に応じて液晶表示装置１００の輝度を調整する機能を有する場合には、そのような制御も含まれる。また、バックライト２０の輝度を調整する制御において、バックライト２０の輝度を大きくする際には、例えば、光源２２に投入する電流（ランプ電流）を大きくするとよく。また、バックライト２０の輝度を小さくする際には、例えば、光源２２に投入する電流（ランプ電流）を小さくするとよい。
【００３５】
第１制御部２１１は、照明開始時に、バックライト２０の輝度を、常態制御部２０１による制御によって設定される輝度よりも高くする。換言すると、第１制御部２１１は、照明開始時に、常態制御部２０１による制御よりもバックライト２０に投入する電力を高くし、バックライト２０を急激に発熱させる。
【００３６】
この実施形態では、第１制御部２１１は、照明開始時に、バックライト２０の輝度を最大輝度に制御する。ここで、「最大輝度」は、バックライト２０の寿命に重大な影響を及ぼさない程度に、バックライト２０に投入する電力を上げた状態で発せられる輝度と規定される。かかる「最大輝度」は、採用されるバックライト２０および液晶表示装置１００の具体的構成に応じて予め設定しておくとよい。また、この実施形態では、第１制御部２１１において、バックライト２０の輝度を最大輝度に制御することによって、バックライト２０の温度（光源２２の温度）を早期に上昇させることができる。これにより、調光制御をより早期に安定させることができる。
【００３７】
第２制御部２１２は、照明開始時に温度センサ２４０によって取得される温度情報ＴＡに応じて、第１制御部２１１による制御を解除する経過時間ＴＬを求める（図６参照）。そして、当該経過時間ＴＬにて第１制御部２１１による制御を解除する。かかる経過時間ＴＬは、照明開始時に温度センサ２４０によって取得される温度情報ＴＡに応じて定められるとよい。すなわち、第２制御部２１２は、照明開始時の温度情報ＴＡに基づいて、第１制御部２１１による制御を解除する時間ＴＬを決め、適切なタイミングで常態制御部２０１による制御に移行させる。
【００３８】
ここで、図６は、照明開始後のバックライト２０の光源２２の温度Ｌと、温度センサ２４０から得られる温度情報Ｓとの関係を示している。図６において、Ｌ（−１０）は、照明開始時の温度環境が−１０℃のときの、バックライト２０の温度変化を示している。Ｓ（−１０）は、当該温度環境での温度センサ２４０から得られる温度情報の変化を示している。Ｌ（０）は、照明開始時の温度環境が０℃のときの、バックライト２０の温度変化を示している。Ｓ（０）は、当該温度環境での温度センサ２４０から得られる温度情報の変化を示している。同様に、Ｌ（１０）、Ｌ（２０）、Ｌ（３０）は、それぞれ照明開始時の温度環境が１０℃、２０℃、３０℃のときの、バックライト２０の温度変化を示している。また、Ｓ（１０）、Ｓ（２０）、Ｓ（３０）は、それぞれ照明開始時の温度環境が１０℃、２０℃、３０℃のときの、温度センサ２４０から得られる温度情報の変化を示している。図６において、照明開始後のバックライト２０の光源２２の温度Ｌは、例えば、予備的な試験において、バックライト２０の光源２２としての蛍光管の管内あるいは管の外周に温度センサを取り付け、かかる温度センサによって温度Ｌの情報を得るとよい。
【００３９】
本発明者が得た知見によれば、液晶表示装置１００の具体的構成、投入される電力、および、照明開始時の温度環境が同じであれば、バックライト２０の温度Ｌの経時的な変化は概ね同じような傾向を示す。また、バックライト２０の輝度を調整する制御が安定する程度にバックライト２０が温まるまでの時間は、液晶表示装置１００の具体的構成、投入される電力など他の条件が同じであれば、照明開始時の温度によって概ね定まる。すなわち、照明開始時の温度が低ければ時間がかかるが、照明開始時の温度が高ければ高いほど時間が短くなる。
【００４０】
また、温度センサ２４０で得られる温度情報Ｓ（−１０）〜Ｓ（３０）は、照明開始時においては、バックライト２０の光源２２の温度Ｌ（−１０）〜Ｌ（３０）と略同じ温度を示す。しかし、その後は、温度センサ２４０によって得られる温度情報Ｓ（−１０）〜Ｓ（３０）は、必ずしもバックライト２０の光源２２の温度Ｌ（−１０）〜Ｌ（３０）を反映するものではない。
【００４１】
バックライト２０の各光源２２は、自己の発熱によって温度が急激に高くなる（図６中のＬ（−１０）〜Ｌ（３０）参照）。これに対して、この実施形態では、温度センサ２４０は、図１に示すように、バックライトシャーシ２４に取り付けられており、バックライト２０から少し離れている。バックライト２０の光源２２で発生した熱は、バックライト２０から発せられる赤外線、空気を伝熱媒体として温度センサ２４０に伝わる。このため、温度センサ２４０で得られる温度情報Ｓ（−１０）〜Ｓ（３０）は、バックライト２０よりもはるかに遅れて緩やかに上昇していく。この実施形態では、図６に示すように、２００秒程度の経過時間では、温度センサ２４０で得られる温度情報には、顕著な上昇は見られない（図６中のＳ（−１０）〜Ｓ（３０）参照）。また、温度センサ２４０で得られる温度情報は、温度センサ２４０の取り付け位置によっては、外気の影響を受け易い。また、外気温が０℃以下のような環境では、特に、外気の影響を受け易く、温度センサ２４０で得られる温度情報は上昇し難い。
【００４２】
このように、バックライト２０の光源２２の温度と、温度センサ２４０によって得られる温度情報との間には、大きな差が生じる。このため、例えば、図７に示すように、温度センサ２４０によって得られる温度情報に対して、閾値ＴＯを設定して、当該温度情報が閾値ＴＯを超えたときに、第１制御部２１１による制御を解除するという制御では、第１制御部２１１による制御を解除するタイミングを適切に設定できない。特に、低温環境では、外気が冷たいため温度センサ２４０の温度がなかなか上昇せず、いつまでも閾値ＴＯを超えず、第１制御部２１１による制御が解除されない事象も生じ得る。図７の例では、照明開始時に−１０℃の場合には、温度センサ２４０によって得られる温度情報は、所定の経過時間が経っても閾値ＴＯを超えない。このような事象が生じ得た場合、バックライト２０の輝度調整が高く設定された状態が維持されるので、画素領域１０ａに表示される画像も明るくなり過ぎてしまう。
【００４３】
これに対し、この実施形態では、第２制御部２１２において、照明開始時に温度センサ２４０によって取得された温度情報ＴＡに基づいて、第１制御部２１１による制御を解除する時間を決めている。すなわち、照明開始時に温度センサ２４０によって取得された温度情報ＴＡに基づいて、バックライト２０の光源２２の輝度を安定して制御することができる温度に、光源２２の温度が上昇するまでの経過時間ＴＬを算出し、当該経過時間ＴＬに基づいて、第１制御部２１１による制御を解除する。
【００４４】
照明開始時に温度センサ２４０によって取得される温度情報ＴＡについて、図６中、ＴＡ（−１０）は、照明開始時の温度が−１０℃のときに、温度センサ２４０によって得られる温度情報を示している。ＴＡ（０）は、照明開始時の温度が０℃のときに、温度センサ２４０によって得られる温度情報を示している。同様に、ＴＡ（１０）は照明開始時の温度が１０℃のときの温度情報を示し、ＴＡ（２０）は照明開始時の温度が２０℃のときの温度情報を示し、ＴＡ（３０）は照明開始時の温度が３０℃のときの温度情報を示している。
【００４５】
この液晶表示装置１００は、照明開始時に第１制御部２１１による制御によって、バックライト２０の輝度を高くする制御が実行される。図６に示すように、液晶表示装置１００の温度環境を変えつつ、照明開始時の温度と、バックライト２０の光源２２の温度変化との相関関係を事前に取得しておく。この場合、バックライト２０の光源２２に温度センサを取り付けて、バックライト２０の光源２２の温度情報を取得するとよい。
【００４６】
例えば、バックライト２０の光源２２の温度が概ね２５℃以上になれば、当該光源２２の輝度を安定して制御できるとする。この場合、照明開始時の温度毎に、バックライト２０の光源２２の温度が概ね２５℃を超える経過時間ＴＬを求める。図６によれば、この実施形態では、照明開始時の温度が２０℃のときの経過時間ＴＬ（２０）は約３０秒となる。また、照明開始時の温度が１０℃のときの経過時間ＴＬ（１０）は約５０秒となる。同様に、照明開始時の温度が０℃のときの経過時間ＴＬ（０）は、約６０秒となり、照明開始時の温度が−１０℃のときの経過時間ＴＬ（−１０）は、約１２０秒になる。第２制御部２１２では、かかる相関関係に基づいて第１制御部２１１による制御を解除する時間を決める。
【００４７】
すなわち、この実施形態では、第２制御部２１２は、照明開始時の温度が２０℃のときは３０秒が経過すると、第１制御部２１１による制御を解除する。第２制御部２１２は、照明開始時の温度が１０℃のときは５０秒が経過すると、第１制御部２１１による制御を解除する。第２制御部２１２は、照明開始時の温度が０℃のときは６０秒が経過すると、第１制御部２１１による制御を解除する。第２制御部２１２は、照明開始時の温度が−１０℃のときは１２０秒が経過すると、第１制御部２１１による制御を解除する。このように、第２制御部２１２は、第１制御部２１１による制御を解除するのに適切な経過時間ＴＬを取得するとよい。
【００４８】
なお、図６に示す例では、１０℃刻みに温度を変えて、相関関係を取得しているが、実際には、図６のような相関関係を取得する際に、液晶表示装置１００を設置する環境を２℃刻み、より好ましくは１℃刻み、さらに好適には０．５℃刻み程度に、温度を変えて、それぞれ第１制御部２１１による制御を解除する時間を決めておくとよい。特に、０℃よりも低温の環境では、明るさの制御が安定する程度に光源２２の温度が上がるまでに時間がかかる。このため、かかる低温環境では、より細かく温度を変えて、第１制御部２１１による制御を解除する時間を決めておくことが望ましい。
【００４９】
また、本発明者が得た知見によれば、第２制御部２１２では、バックライト２０による照明開始時に温度センサ２４０によって取得された温度情報ＴＡが低いほど、第１制御部２１１による制御を解除するまでの経過時間ＴＬを長く設定するとよい。このため、例えば、試験にて、温度情報ＴＡについて２℃刻みに、温度情報ＴＡと経過時間ＴＬとの相関関係が得られた場合、相関関係が得られていない間の温度については、その上下で相関関係が得られている温度情報ＴＡに基づいて、経過時間ＴＬを算出してもよい。この場合、さらに、上下で相関関係が得られている温度情報ＴＡに基づいて、温度情報ＴＡが低いほど経過時間ＴＬが長くなるように経過時間ＴＬを補正して算出してもよい。
【００５０】
図８は、照明開始後の制御部２００の制御フローの一例を示している。この実施形態では、制御部２００は、図８に示すように、液晶表示装置１００に画像を表示させる際、第１制御部２１１による制御を実行する。第１制御部２１１では、バックライト２０の輝度を、常態制御部２０１による制御によって設定される輝度よりも高くする。さらに温度センサ２４０によって温度情報ＴＡを取得する（Ｓ１）。
【００５１】
次に、制御部２００は、第１制御部２１１による制御を解除する経過時間ＴＬを算出する（Ｓ２）。この実施形態では、図６に示すような相関関係を基に、照明開始時に温度センサ２４０で得られる温度情報ＴＡに基づいて、第１制御部２１１による制御を解除する経過時間ＴＬを求めるとよい。この実施形態では、図１に示すように、照明開始時に温度センサ２４０で得られる温度情報ＴＡと、第１制御部２１１による制御を解除する経過時間ＴＬとの関係を、データベース化したデータベース２１２ａを備えている。そして、照明開始時に温度センサ２４０で得られる温度情報ＴＡに基づいて、当該データベース２１２ａから対応する経過時間ＴＬが抽出できるように構成している。
【００５２】
次に、制御部２００は、（Ｓ２）により算出された経過時間ＴＬにて第１制御部２１１による制御を解除し、常態制御部２０１による制御を実行する。このように、第１制御部２１１は、適切な時間で解除され、常態制御部２０１による制御が実行される（Ｓ３）。
【００５３】
上述したように、照明開始時の温度と、バックライト２０の光源２２の温度上昇とは、一定の相関関係がある。照明開始時の温度、バックライト２０の光源２２に投入される電力が決まっていれば、バックライト２０の光源２２の温度は、所定の温度を超えるまでの経過時間ＴＬは算出できる。
【００５４】
この液晶表示装置１００は、図８に示すように、照明開始時に、バックライト２０の輝度を、常態制御部２０１による制御によって設定される輝度よりも高くする（第１制御：Ｓ１）。さらに、照明開始時に温度センサによって取得される温度情報ＴＡに基づいて、第１制御を解除する経過時間ＴＬを定める（Ｓ１、Ｓ２）。そして、当該経過時間ＴＬにて第１制御を解除する（第２制御：Ｓ３）。このようにバックライト２０の輝度を一時的に高くする第１制御は、適切な経過時間ＴＬにて解除される。経過時間ＴＬは、液晶表示装置１００に配置された温度センサ２４０から取得される温度情報ＴＡに基づいている。この場合、温度情報ＴＡと経過時間ＴＬとの相関関係は、予め試験等によって決めるとよい。かかる試験において、液晶表示装置１００の具体的構成による影響もこの相関関係に反映される。このためバックライト２０の輝度を一時的に高くする第１制御は、極めて適切なタイミングで解除され、常態制御部２０１による制御が早期に実行される。
【００５５】
さらに、液晶表示装置１００は、バックライト２０による照明開始時に、温度センサ２４０によって取得された温度情報ＴＡが、予め定められた温度よりも高い場合には、第１制御部２１１による制御が実行されず、常態制御部２０１が実行されるように構成することもできる。
【００５６】
例えば、上述した例では、光源２２の温度が２５℃以上であれば、調光制御が安定して行なえるので、照明開始時に温度が２５℃以上であれば、第１制御部２１１による制御は必要がない。照明開始時においては、光源２２の温度と、温度センサ２４０によって得られる温度情報とは、概ね一致する。このため、この場合、温度センサ２４０によって得られる温度情報が２５℃よりも低い場合には、第１制御部２１１による制御が実行され、当該温度情報が２５℃以上であれば、第１制御部２１１による制御が実行されないように制御を構成してもよい。
【００５７】
例えば、制御部２００は、図９に示すように、照明開始時に、温度センサ２４０によって温度情報ＴＡを取得する（Ｓ２１）。次に、バックライト２０の輝度を一時的に高くする第１制御部２１１による制御を実行するか否かの判定を行なう（Ｓ２２）。ここで、第１制御部２１１による制御を実行するか否かの判定（Ｓ２２）は、照明開始時に温度センサ２４０によって得られた温度情報ＴＡが、予め定めた所定の温度（上記の例では、２５℃）よりも低いか否かで判定する（ＴＡ＜２５℃）。
【００５８】
その結果、温度情報ＴＡが予め定めた所定の温度（上記の例では、２５℃）よりも低い場合には、第１制御部２１１による制御を実行する（Ｙ）と判定する。また、温度情報ＴＡが予め定めた所定の温度（上記の例では、２５℃）以上の場合には、第１制御部２１１による制御を実行しない（Ｎ）と判定する。
【００５９】
かかるＳ２２の判定において、第１制御部２１１による制御を実行する（Ｙ）と判定された場合には、第１制御部２１１による制御を実行する（Ｓ２３）。Ｓ２２の判定において、第１制御部２１１による制御を実行しない（Ｎ）と判定された場合には、第１制御部２１１による制御を実行せず、常態制御部２０１による制御を実行する（Ｓ２６）。第１制御部２１１による制御が実行された場合（Ｓ２３）は、さらに、第２制御部２１２において、第１制御部２１１による制御を解除する経過時間ＴＬを算出する（Ｓ２４）。そして、Ｓ２４によって算出された経過時間ＴＬにて第１制御部２１１による制御を解除し（Ｓ２５）、常態制御部２０１による制御を実行する（Ｓ２６）。
【００６０】
この場合、照明開始時に温度環境が、バックライト２０の調光制御が安定する程度に十分に高ければ、第１制御部２１１による制御が実行されず、照明開始時に常態制御部２０１による制御が実行される。このため、一次的にバックライト２０の輝度を高くする必要がない場合には、第１制御部２１１による制御が実行されず、電力消費を低く抑えることができる。
【００６１】
以上、本発明の一実施形態に係る液晶表示装置１００を説明した。この液晶表示装置１００によれば、第１制御部２１１による制御によって、必要に応じて照明開始時にバックライトの輝度を一時的に高くする第１制御が実行される。そして、第２制御部２１２による制御によって、照明開始時に温度センサ２４０によって取得される温度情報ＴＡに応じて定められる経過時間ＴＬにて、バックライトの輝度を一時的に高くする第１制御が解除される。当該経過時間ＴＬは、温度センサ２４０から取得される温度情報ＴＡに基づいて定められる。照明開始時に温度センサ２４０によって取得される温度情報ＴＡは、バックライト２０の温度によく反映している。また、図６に示すように、照明開始時の温度ＴＡに応じて、バックライト２０の経時的な温度上昇Ｌは経験則的に予測できる。かかる予測には、液晶表示装置１００の具体的構成による影響が反映されている。このため、液晶表示装置１００の具体的構成に合わせて、照明開始時にバックライトの輝度を一時的に高くする第１制御を解除するのに適切な時間ＴＬを設定することができる。これにより、適切なタイミングで常態制御部２０１による制御に移行することができる。かかる制御手法によれば、上記第１制御の解除を簡単な制御手法によって適切に行なえる。
【００６２】
また、この実施形態では、第１制御部２１１では、照明開始時にバックライト２０の輝度が最大輝度に制御されている。第１制御部２１１において、バックライト２０の輝度を最大輝度に制御することによって、バックライト２０の温度（光源２２の温度）を早期に上昇させることができ、調光制御をより早期に安定せることができる。また、これによって、第２制御部２１２において、第１制御部２１１による制御をより早期に解除できる。
【００６３】
また、この実施形態では、温度センサ２４０は、液晶表示装置１００の内部に配置されていている。この場合、温度センサ２４０によって得られる温度情報は、液晶表示装置１００の内部の温度を反映させることができる。このため、−１０℃以下のような外気温が低い環境において、よりバックライト２０の光源２２の温度に近い温度を取得できる。また、この実施形態では、温度センサ２４０は、バックライトシャーシ２４に配置されている。バックライトシャーシ２４は、バックライト２０の光源２２に近く、かかる温度センサ２４０を配設するのに適している。また、バックライトシャーシ２４は、液晶パネル１０とは反対側に位置するので、液晶パネル１０の背面を照射するバックライト２０の光源２２からの光を遮らない。
【００６４】
また、この実施形態では、液晶表示装置１００は、図１に示すように、赤外線による制御信号を受信する赤外線受信部３００を備えている。さらに、当該赤外線受信部３００で受信した制御信号に基づいて、液晶表示部１０の表示内容を制御する遠隔制御部３０１を備えている。低温環境でバックライト２０が点灯される場合には、光源２２として蛍光管が使われている場合など、赤外線が発生する。かかる赤外線は、赤外線信号を利用した遠隔制御（リモートコントロール）における赤外線信号に干渉する場合があり、かかる遠隔制御を阻害する。この実施形態では、上述したように、第１制御部２１１による制御によって、早期にバックライト２０の温度が上昇し、バックライト２０から発生する赤外線を早期に減衰させることができる。このため、液晶表示装置１００が赤外線による制御信号を受信する遠隔制御手段を備えている場合にも、照明開始後、早期に安定した遠隔制御を実現できる。
【００６５】
以上、本発明の一実施形態に係る液晶表示装置を説明したが、本発明に係る液晶表示装置は、上述した実施形態には限定されない。
【００６６】
例えば、液晶表示装置の具体的構成については、上述した実施形態に限定されない。上述した実施形態では、バックライトは、いわゆる直下型バックライトが採用されており、バックライトシャーシに、棒状の光源（線光源）が複数本、平行に配列されている。バックライトの構成は、かかる形態に限定されない。例えば、図示は省略するが、バックライトは、線光源を導光板の側面に置き、平面光源に変換する、いわゆるエッジライト型（「サイドライト型」とも呼ばれる。）のバックライトを採用してもよい。
【００６７】
また、上述した実施形態では、例えば、バックライトの光源の温度が概ね２５℃以上になれば、当該光源の輝度を安定して制御できる場合を仮定し、照明開始時の温度毎に、バックライトの光源の温度が概ね２５℃を超える経過時間ＴＬを求めた。バックライトの輝度を安定して制御できる温度は、２５℃に限らず、具体的に採用されるバックライトの光源の種類等によって異なる。従って、バックライトの輝度を安定して制御できる温度については、液晶表示装置の具体的な構成に基づいて定めると良い。これにより、第１制御部２１１による制御を解除する経過時間ＴＬについて、適切な時間を設定することができる。
【００６８】
また、温度センサの配置位置も、液晶表示装置の任意の位置に配設することができ、好ましくは、液晶表示装置の内部に配設するとよい。より好ましくは、液晶表示装置の内部であって、光源の温度をより正確に反映できる位置がよく、光源の近傍に配設するとよい。また、温度センサは、温度を検知するのに適したものを採用するとよく、液晶表示装置１００が使用される温度環境（例えば、−４０℃〜６０℃程度の温度環境）において、特に、精度良く温度を検知できるものを採用するとよい。
【図面の簡単な説明】
【００６９】
【図１】本発明の一実施形態に係る液晶表示装置を示す断面図。
【図２】本発明の一実施形態に係る液晶表示装置の液晶パネルを示す断面図。
【図３】本発明の一実施形態に係る液晶表示装置のアレイ基板の画素領域部分を示す平面図。
【図４】本発明の一実施形態に係る液晶表示装置のカラーフィルタ基板の画素領域部分を示す平面図。
【図５】本発明の一実施形態に係る液晶表示装置のバックライトシャーシの内側に配設された基板構成例を示す平面図。
【図６】本発明の一実施形態に係る液晶表示装置について、照明開始後の経過時間と、バックライトの温度および温度センサの温度情報を示す図。
【図７】照明開始後の経過時間と、温度センサの温度情報を示す図。
【図８】本発明の一実施形態に係る液晶表示装置の照明開始後の制御を示すフロー図。
【図９】本発明の他の実施形態に係る液晶表示装置の照明開始後の制御を示すフロー図。
【符号の説明】
【００７０】
１０  液晶パネル（液晶表示部）
１０ａ  画素領域
１１  カラーフィルタ基板（ＣＦ基板、透光性基板）
１２  アレイ基板（ＴＦＴ基板、透光性基板）
１３  液晶層
１５  シール材
１７、１８  偏光板
２０  バックライト
２２  光源
２４  バックライトシャーシ
２６  光学シート
３０  ベゼル
３２  フレーム
４１  ガラス基板（アレイ基板のガラス基板）
４２  画素電極
４３ａ〜４３ｃ  バスライン
４４  平坦化層
４６  配向膜
４７  薄膜トランジスタ
５１  ガラス基板（カラーフィルタ基板のガラス基板）
５２  ブラックマトリクス
５３  カラーフィルタ
５４  平坦化層
５５  対向電極
５６  配向膜
５９  スペーサ
１００  液晶表示装置
２００  制御部
２０１  常態制御部
２１１  第１制御部
２１２  第２制御部
２１２ａ  データベース
２４０  温度センサ
２４１  端子基板
２４２  電源基板
２４３  ＡＣインレット基板
２４４  液晶コントローラ基板
２４５  メイン基板
２４６  インバータ基板
３００  赤外線受信部
３０１  遠隔制御部
【図１】
2010086865.tif 000003
【図２】
2010086865.tif 000004
【図３】
2010086865.tif 000005
【図４】
2010086865.tif 000006
【図５】
2010086865.tif 000007
【図６】
2010086865.tif 000008
【図７】
2010086865.tif 000009
【図８】
2010086865.tif 000010
【図９】
2010086865.tif 000011